(57)【要約】【課題】導体の必要以上の細径化や軽量化を必要とせず、更なる細径化や軽量化を図ることが可能な信号線ユニット及びそれを集合させた医療用ケーブルを提供する。【解決手段】中心線１０２と、複数本の大径絶縁電線１０３と、複数本の小径絶縁電線１０５と、を備えており、大径絶縁電線１０３は、大径側導体１０６と、大径側絶縁体１０７と、を有しており、且つ、外周が円断面１０１の円周と中心線１０２の外周と２本の大径絶縁電線１０３の外周とに当接しており、小径絶縁電線１０５は、外径が大径側導体１０６と同一である小径側導体１０８と、誘電率が大径側絶縁体１０７よりも低く厚さが大径側絶縁体１０７よりも薄い小径側絶縁体１０９と、を有しており、且つ、外周が円断面１０１の円周と２本の大径絶縁電線１０３の外周とに当接しており、大径絶縁電線１０３と小径絶縁電線１０５は、一括して撚り合わされている信号線ユニット１００である。【選択図】図１
2016100079.tif 000002
【特許請求の範囲】
【請求項１】
円断面の中心に配置されている中心線と、
前記中心線の外周に沿い円環状に隣接配置されている複数本の大径絶縁電線と、
隣接配置されている２本の前記大径絶縁電線の外周間に存在している窪溜ごとに１本ずつ埋設配置されていると共に外径が前記大径絶縁電線よりも小さい複数本の小径絶縁電線と、
を備えており、
前記大径絶縁電線は、前記大径絶縁電線の中心に配置されている大径側導体と、前記大径側導体の周囲に囲繞形成されている大径側絶縁体と、を有しており、且つ、外周が前記円断面の円周と前記中心線の外周と自身の両隣に配置されている２本の前記大径絶縁電線の外周とに当接しており、
前記小径絶縁電線は、前記小径絶縁電線の中心に配置されていると共に外径が前記大径側導体と同一である小径側導体と、前記小径側導体の周囲に囲繞形成されていると共に誘電率が前記大径側絶縁体よりも低く厚さが前記大径側絶縁体よりも薄い小径側絶縁体と、を有しており、且つ、外周が前記円断面の円周と隣接配置されている２本の前記大径絶縁電線の外周とに当接しており、
複数本の前記大径絶縁電線と複数本の前記小径絶縁電線は、前記中心線を中心軸として一括して撚り合わされていることを特徴とする信号線ユニット。
【請求項２】
前記中心線は、接地線からなる請求項１に記載の信号線ユニット。
【請求項３】
前記中心線と複数本の前記大径絶縁電線と複数本の前記小径絶縁電線とを一括して被覆している被覆体を更に備えており、
前記中心線は、介在線からなり、
前記被覆体は、接地体兼遮蔽体からなる請求項１に記載の信号線ユニット。
【請求項４】
前記大径側絶縁体は、エチレン−テトラフルオロエチレン共重合樹脂、ポリエチレン樹脂、ポリエステル樹脂、ポリイミド樹脂、又はエチレン−クロロトリフルオロエチレン共重合樹脂で形成されており、
前記小径側絶縁体は、テトラフルオロエチレン−ヘキサフルオロプロピレン共重合樹脂、テトラフルオロエチレン−パーフルオロアルキルビニルエーテル共重合樹脂、ポリテトラフルオロエチレン樹脂、ポリメチルペンテン樹脂、又はポリエチレン樹脂で形成されている請求項１から３の何れか一項に記載の信号線ユニット。
【請求項５】
請求項１から４の何れか一項に記載の複数本の信号線ユニットを集合させてなることを特徴とする医療用ケーブル。
【発明の詳細な説明】
【技術分野】
【０００１】
本発明は、超音波診断等の医療用途に好適な信号線ユニット及びそれを集合させた医療用ケーブルに関する。
【背景技術】
【０００２】
従来、超音波診断等の医療用途に使用されている信号線ユニット及びそれを集合させた医療用ケーブルでは、信号線として、電磁波の漏洩が少ない同軸線が採用されている（例えば、特許文献１を参照）。信号線ユニット及びそれを集合させた医療用ケーブルの細径化や軽量化を図る場合、同軸線の中心導体の細径化や軽量化を図り、結果として、信号線ユニット及びそれを集合させた医療用ケーブルの細径化や軽量化を図ることが一般的である。
【先行技術文献】
【特許文献】
【０００３】
【特許文献１】特開２００２−３６７４４４号公報
【発明の概要】
【発明が解決しようとする課題】
【０００４】
しかしながら、中心導体の細径化や軽量化にも技術的・費用的な限界があり、中心導体の細径化や軽量化を図る以外の方法で信号線ユニット及びそれを集合させた医療用ケーブルの細径化や軽量化を図ることが必要となってきている。
【０００５】
そこで、本発明の目的は、導体の必要以上の細径化や軽量化を必要とせず、更なる細径化や軽量化を図ることが可能な信号線ユニット及びそれを集合させた医療用ケーブルを提供することにある。
【課題を解決するための手段】
【０００６】
この目的を達成するために創案された本発明は、円断面の中心に配置されている中心線と、前記中心線の外周に沿い円環状に隣接配置されている複数本の大径絶縁電線と、隣接配置されている２本の前記大径絶縁電線の外周間に存在している窪溜ごとに１本ずつ埋設配置されていると共に外径が前記大径絶縁電線よりも小さい複数本の小径絶縁電線と、を備えており、前記大径絶縁電線は、前記大径絶縁電線の中心に配置されている大径側導体と、前記大径側導体の周囲に囲繞形成されている大径側絶縁体と、を有しており、且つ、外周が前記円断面の円周と前記中心線の外周と自身の両隣に配置されている２本の前記大径絶縁電線の外周とに当接しており、前記小径絶縁電線は、前記小径絶縁電線の中心に配置されていると共に外径が前記大径側導体と同一である小径側導体と、前記小径側導体の周囲に囲繞形成されていると共に誘電率が前記大径側絶縁体よりも低く厚さが前記大径側絶縁体よりも薄い小径側絶縁体と、を有しており、且つ、外周が前記円断面の円周と隣接配置されている２本の前記大径絶縁電線の外周とに当接しており、複数本の前記大径絶縁電線と複数本の前記小径絶縁電線は、前記中心線を中心軸として一括して撚り合わされている信号線ユニットである。
【０００７】
前記中心線は、接地線からなることが好ましい。
【０００８】
前記中心線と複数本の前記大径絶縁電線と複数本の前記小径絶縁電線とを一括して被覆している被覆体を更に備えており、前記中心線は、介在線からなり、前記被覆体は、接地体兼遮蔽体からなることが好ましい。
【０００９】
前記大径側絶縁体は、エチレン−テトラフルオロエチレン共重合樹脂（ＥＴＦＥ）、ポリエチレン樹脂（ＰＥ）、ポリエステル樹脂、ポリイミド樹脂（ＰＩ）、又はエチレン−クロロトリフルオロエチレン共重合樹脂（ＥＣＴＦＥ）で形成されており、前記小径側絶縁体は、テトラフルオロエチレン−ヘキサフルオロプロピレン共重合樹脂（ＦＥＰ）、テトラフルオロエチレン−パーフルオロアルキルビニルエーテル共重合樹脂（ＰＦＡ）、ポリテトラフルオロエチレン樹脂（ＰＴＦＥ）、ポリメチルペンテン樹脂（ＰＭＰ）、又はポリエチレン樹脂（ＰＥ）で形成されていることが好ましい。
【００１０】
また、本発明は、複数本の前記信号線ユニットを集合させてなる医療用ケーブルである。
【発明の効果】
【００１１】
本発明によれば、導体の必要以上の細径化や軽量化を必要とせず、更なる細径化や軽量化を図ることが可能な信号線ユニット及びそれを集合させた医療用ケーブルを提供することができる。
【図面の簡単な説明】
【００１２】
【図１】本発明に係る信号線ユニットを示す断面模式図である。
【図２】本発明に係る他の信号線ユニットを示す断面模式図である。
【図３】本発明に係る医療用ケーブルを示す断面模式図である。
【発明を実施するための形態】
【００１３】
以下、本発明の好適な実施の形態を添付図面に順って説明する。
【００１４】
図１に示すように、本発明の好適な実施の形態に係る信号線ユニット１００は、円断面１０１の中心に配置されている中心線１０２と、中心線１０２の外周に沿い円環状に隣接配置されている少なくとも３本の大径絶縁電線１０３と、隣接配置されている２本の大径絶縁電線１０３の外周間に存在している窪溜１０４ごとに１本ずつ埋設配置されていると共に外径が大径絶縁電線１０３よりも小さい少なくとも３本の小径絶縁電線１０５と、を備えている。
【００１５】
中心線１０２は、銅や銅合金等の導電性材料で形成されており、大径絶縁電線１０３と小径絶縁電線１０５の全てに対して共通の接地線を構成している。
【００１６】
大径絶縁電線１０３は、大径絶縁電線１０３の中心に配置されている大径側導体１０６と、大径側導体１０６の周囲に囲繞形成されている大径側絶縁体１０７と、を有しており、外周が円断面１０１の円周と中心線１０２の外周と自身の両隣に配置されている２本の大径絶縁電線１０３の外周とに当接している。
【００１７】
大径側導体１０６は、銅や銅合金等の導電性材料で形成されており、大径側絶縁体１０７は、例えば、エチレン−テトラフルオロエチレン共重合樹脂（ＥＴＦＥ）、ポリエチレン樹脂（ＰＥ）、ポリエステル樹脂、ポリイミド樹脂（ＰＩ）、又はエチレン−クロロトリフルオロエチレン共重合樹脂（ＥＣＴＦＥ）等の樹脂材料で形成されている。ここで、大径側絶縁体１０７は、大径絶縁電線１０３の特性インピーダンスが規定値（例えば、５０Ω）となるように外径が調整されている。
【００１８】
小径絶縁電線１０５は、小径絶縁電線１０５の中心に配置されていると共に外径が大径側導体１０６と同一である小径側導体１０８と、小径側導体１０８の周囲に囲繞形成されていると共に誘電率が大径側絶縁体１０７よりも低く厚さが大径側絶縁体１０７よりも薄い小径側絶縁体１０９と、を有しており、且つ、外周が円断面１０１の円周と隣接配置されている２本の大径絶縁電線１０３の外周とに当接している。
【００１９】
小径側導体１０８は、銅や銅合金等の導電性材料で形成されており、小径側絶縁体１０９は、例えば、テトラフルオロエチレン−ヘキサフルオロプロピレン共重合樹脂（ＦＥＰ）、テトラフルオロエチレン−パーフルオロアルキルビニルエーテル共重合樹脂（ＰＦＡ）、ポリテトラフルオロエチレン樹脂（ＰＴＦＥ）、ポリメチルペンテン樹脂（ＰＭＰ；三井化学株式会社製のＴＰＸ（登録商標）等）、又はポリエチレン樹脂（ＰＥ）等の樹脂材料で形成されている。ここで、小径側絶縁体１０９は、小径絶縁電線１０５の特性インピーダンスが規定値（例えば、５０Ω）となるように外径が調整されている。
【００２０】
これらにより、大径絶縁電線１０３の特性インピーダンスと小径絶縁電線１０５の特性インピーダンスとを一致させながら、円断面１０１の断面積を最小とすることができ、結果として、導体の必要以上の細径化や軽量化を必要とせず、信号線ユニット１００の細径化や軽量化を図ることが可能となる。
【００２１】
例えば、信号線ユニット１００の場合、信号線ユニット１００の信号線として８本の大径絶縁電線１０３を採用する場合と比較して信号線ユニット１００の外径を約２０％も削減することができる。
【００２２】
なお、大径絶縁電線１０３と小径絶縁電線１０５は、中心線１０２を中心軸として一括して撚り合わされており、大径絶縁電線１０３と小径絶縁電線１０５とが外径を異にすることに起因して、両者の撚込率が相違している。
【００２３】
また、信号線ユニット１００においては、大径側絶縁体１０７と小径側絶縁体１０９とが誘電率を異にすることに起因して、大径絶縁電線１０３と小径絶縁電線１０５との間で信号の伝搬速度が相違している。
【００２４】
これらにより、大径絶縁電線１０３と小径絶縁電線１０５との間で信号の干渉が発生し難くなり、信号線ユニット１００の電気的特性を大幅に向上させることが可能となる。
【００２５】
なお、信号線ユニット１００は、中心線１０２と大径絶縁電線１０３と小径絶縁電線１０５とを一括して被覆している被覆体１１０を更に備えている。
【００２６】
被覆体１１０は、例えば、ポリエチレンテレフタレート樹脂（ＰＥＴ）等の樹脂材料で形成されている樹脂テープからなり、中心線１０２と大径絶縁電線１０３と小径絶縁電線１０５の配置を固定する役割を果たしている。
【００２７】
これにより、中心線１０２と大径絶縁電線１０３と小径絶縁電線１０５の配置がズレて電気的特性が劣化することを防止することが可能となる。
【００２８】
なお、被覆体１１０は、例えば、ポリエチレンテレフタレート樹脂等の樹脂材料で形成されている基材と、基材の片面に貼り付けられているアルミニウム等の導電性材料で形成されている金属箔と、を有している金属箔付樹脂テープからなっても構わない。
【００２９】
これにより、被覆体１１０は、中心線１０２と大径絶縁電線１０３と小径絶縁電線１０５の配置を固定する役割だけで無く、大径絶縁電線１０３と小径絶縁電線１０５を電磁雑音等から遮蔽する役割も果たすことになり、信号線ユニット１００の電気的特性を更に向上させることが可能となる。
【００３０】
信号線ユニット１００では、中心線１０２が接地線からなる構成としたが、図２に示すように、信号線ユニット２００において、中心線１０２が抗張力線等の介在線からなり、且つ、被覆体１１０が銅や銅合金で形成されている編組等の接地体兼遮蔽体からなる構成としても構わない。
【００３１】
この場合、接地体兼遮蔽体は、大径絶縁電線１０３と小径絶縁電線１０５の全てに対して共通の接地体を構成すると共に大径絶縁電線１０３と小径絶縁電線１０５の遮蔽体を構成する。
【００３２】
なお、図３に示すように、複数本の信号線ユニット１００（又は信号線ユニット２００）を、例えば、バインドテープ３０１、編組シールド３０２、シース３０３等で束ねてプローブケーブル等の医療用ケーブル３００として使用することもできる。
【００３３】
以上の通り、本発明によれば、導体の必要以上の細径化や軽量化を必要とせず、更なる細径化や軽量化を図ることが可能な信号線ユニット及びそれを集合させた医療用ケーブルを提供することができる。
【符号の説明】
【００３４】
１００  信号線ユニット
１０１  円断面
１０２  中心線
１０３  大径絶縁電線
１０４  窪溜
１０５  小径絶縁電線
１０６  大径側導体
１０７  大径側絶縁体
１０８  小径側導体
１０９  小径側絶縁体
１１０  被覆体
２００  信号線ユニット
３００  医療用ケーブル
【図１】
2016100079.tif 000003
【図２】
2016100079.tif 000004
【図３】
2016100079.tif 000005